(57)【要約】【課題】カメラ付き携帯電話機に光センサを内蔵させ、該光センサに光が入射すると、携帯電話機の備えるライトが点灯すると共にカメラにて撮影を行い、撮影した映像データを予め定められた所定の電話機に送信する、防犯機能付き携帯電話機を提供する。【解決手段】制御動作を行う制御部と、前記制御部に接続される光センサと、カメラと、ライトと、送受信部と、前記制御部に接続され前記カメラで撮影した映像データの送信先の電話番号を記憶する記憶部と、を備える携帯電話機であって、前記光センサに光が入射して光感知信号を出力したときに前記制御部が、前記ライトを点灯させ前記カメラに撮影を開始させ前記カメラで撮影した映像データを前記記憶部に記憶されている前記電話番号の電話機に前記送受信部を介して送信させる。【選択図】      図１
2005184371.tif 000002
【特許請求の範囲】
【請求項１】
プログラム制御によって制御動作を行う制御部と、
前記制御部に接続され光の入射を感知すると光感知信号を前記制御部へ出力する光センサと、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、を備える携帯電話機であって、
前記光センサに光が入射して光感知信号を出力したときに前記制御部が、前記ライトを点灯させ前記カメラに撮影を開始させ前記カメラで撮影した映像データを前記記憶部に記憶されている前記電話番号の電話機に前記送受信部を介して送信させる、ことを特徴とする防犯機能付き携帯電話機。
【請求項２】
前記防犯機能付き携帯電話機は更に、前記制御部に接続され前記制御部からの駆動信号によりアラーム音を発生するスピーカを備え、前記光センサに光が入射して光感知信号を出力したときに前記制御部が、更に、前記スピーカにアラーム音を鳴動させる、ことを特徴とする請求項１に記載の防犯機能付き携帯電話機。
【請求項３】
前記防犯機能付き携帯電話機は更に、前記制御部に接続され防犯機能の動作時間帯の設定を行うタイマを備え、前記光センサに光が入射して光感知信号を出力したときに前記制御部が、現在時刻が前記動作時間帯の内にあるかを判定し、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる、ことを特徴とする請求項１或いは請求項２の何れか１項に記載の防犯機能付き携帯電話機。
【請求項４】
プログラム制御によって制御動作を行う制御部と、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、
前記制御部に接続され一定時間間隔でタイムアウトする時間間隔の設定を行う第２のタイマと、を備える携帯電話機であって、
前記第２のタイマのタイムアウト毎に前記制御部が、前記ライトを点灯させ前記カメラに撮影を開始させ前記カメラで撮影した映像データを前記記憶部に記憶されている前記電話番号の電話機に前記送受信部を介して送信させる、ことを特徴とする防犯機能付き携帯電話機。
【請求項５】
前記防犯機能付き携帯電話機は更に、前記制御部に接続され防犯機能の動作時間帯の設定を行うタイマを備え、前記第２のタイマのタイムアウト毎に前記制御部が、現在時刻が前記動作時間帯の内にあるかを判定し、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる、ことを特徴とする請求項４に記載の防犯機能付き携帯電話機。
【請求項６】
プログラム制御によって制御動作を行う制御部と、
前記制御部に接続され人の動きを検知すると動態感知信号を前記制御部へ出力する動態センサと、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、を備える携帯電話機であって、
前記動態センサが人の動きを検知して動態感知信号を出力したときに前記制御部が、前記ライトを点灯させ前記カメラに撮影を開始させ前記カメラで撮影した映像データを前記記憶部に記憶されている前記電話番号の電話機に前記送受信部を介して送信させる、ことを特徴とする防犯機能付き携帯電話機。
【請求項７】
前記防犯機能付き携帯電話機は更に、前記制御部に接続され前記制御部からの駆動信号によりアラーム音を発生するスピーカを備え、前記動態センサが人の動きを検知して動態感知信号を出力したときに前記制御部が、更に、前記スピーカにアラーム音を鳴動させる、ことを特徴とする請求項６に記載の防犯機能付き携帯電話機。
【請求項８】
前記防犯機能付き携帯電話機は更に、前記制御部に接続され防犯機能の動作時間帯の設定を行うタイマを備え、前記動態センサが人の動きを検知して動態感知信号を出力したときに前記制御部が、現在時刻が前記動作時間帯の内にあるかを判定し、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる、ことを特徴とする請求項６或いは請求項７の何れか１項に記載の防犯機能付き携帯電話機。
【請求項９】
プログラム制御によって制御動作を行う制御部と、
前記制御部に接続され光の入射を感知すると光感知信号を前記制御部へ出力する光センサと、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、を備える携帯電話機のコンピュータに、
前記光センサに光が入射して光感知信号を出力したときに、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とするプログラム。
【請求項１０】
前記携帯電話機は更に、前記制御部に接続され前記制御部からの駆動信号によりアラーム音を発生するスピーカを備え、前記プログラムは、前記光センサに光が入射して光感知信号を出力したときに、更に、前記スピーカにアラーム音を鳴動させる処理を実行させる、ことを特徴とする請求項９に記載のプログラム。
【請求項１１】
前記携帯電話機は更に、前記制御部に接続され防犯機能の動作時間帯の設定を行うタイマを備え、前記プログラムは、前記光センサに光が入射して光感知信号を出力したときに、現在時刻が前記動作時間帯の内にあるかを判定する処理を実行させ、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とする請求項９或いは請求項１０の何れか１項に記載のプログラム。
【請求項１２】
プログラム制御によって制御動作を行う制御部と、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、
前記制御部に接続され一定時間間隔でタイムアウトする時間間隔の設定を行う第２のタイマと、を備える携帯電話機のコンピュータに、
前記第２のタイマのタイムアウト毎に、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とするプログラム。
【請求項１３】
前記携帯電話機は更に、前記制御部に接続され防犯機能の動作時間帯の設定を行うタイマを備え、前記プログラムは、前記第２のタイマのタイムアウト毎に、現在時刻が前記動作時間帯の内にあるかを判定する処理を実行させ、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とする請求項１２に記載のプログラム。
【請求項１４】
プログラム制御によって制御動作を行う制御部と、
前記制御部に接続され人の動きを検知すると動態感知信号を前記制御部へ出力する動態センサと、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、を備える携帯電話機のコンピュータに、
前記動態センサが人の動きを検知して動態感知信号を出力したときに、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とするプログラム。
【請求項１５】
前記携帯電話機は更に、前記制御部に接続され前記制御部からの駆動信号によりアラーム音を発生するスピーカを備え、前記プログラムは、前記動態センサが人の動きを検知して動態感知信号を出力したときに、更に、前記スピーカにアラーム音を鳴動させる処理を実行させる、ことを特徴とする請求項１４に記載のプログラム。
【請求項１６】
前記携帯電話機は更に、前記制御部に接続され防犯機能の動作時間帯の設定を行うタイマを備え、前記プログラムは、前記動態センサが人の動きを検知して動態感知信号を出力したときに、現在時刻が前記動作時間帯の内にあるかを判定する処理を実行させ、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とする請求項１４或いは請求項１５の何れか１項に記載のプログラム。
【発明の詳細な説明】
【技術分野】
【０００１】
本発明は防犯機能付き携帯電話機とそのプログラムに関し、特に、携帯電話機に内蔵された光センサに光が入射すると、携帯電話機の備えるライトが点灯すると共にカメラにて撮影を行い、撮影した映像データを予め定められた所定の電話機に送信する、防犯機能付き携帯電話機とそのプログラムに関する。
【背景技術】
【０００２】
近年の携帯電話機においては、カメラや撮影用のライト等の機能が付加されるなど、高機能化が図られるようになってきている。
【０００３】
一方、従来から、ＰＨＳ（Ｐｅｒｓｏｎａｌ  Ｈａｎｄｙｐｈｏｎｅ  Ｓｙｓｔｅｍ：
パーソナルハンディホンシステム）端末などの携帯型情報機器を利用した防犯システムなども提案されるようになってきている（例えば、特許文献１参照。）。
【０００４】
上述した特許文献１に記載の「セキュリティシステム」においては、住宅や自動車等の要所に配置した熱・煙感知センサや防犯感知センサ等の各種センサから、赤外線で送信された情報を赤外線受信機で感知し、異常が発生した場合には警報装置を作動させると共に、要所に配置したカメラからの映像信号を通信信号にエンコードするメインコントローラによって、遠隔地の携帯型情報機器に映像情報などを自動的に送信するようにしている。このことにより、伝送配線工事を不要とし、携帯型情報機器によって要所の状況を確認できるようになる、としている。
【０００５】
【特許文献１】特開平９−２８８７９１号公報（第１０−１２頁、図４−７）
【発明の開示】
【発明が解決しようとする課題】
【０００６】
上述した特許文献１に記載の従来のセキュリティシステムは、各種センサや警報装置或いはカメラなどの防犯設備を、住宅や自動車等の要所に予め配置しておかねばならず、手間とコストがかかってしまう、という問題点を有すると共に、誰でもが手軽に防犯設備を設置できるものではない、という難点を有している。
【０００７】
本発明は上述した事情を改善するために成されたものであり、従って本発明の目的は、カメラ付き携帯電話機に光センサを内蔵させ、該光センサに光が入射すると、携帯電話機の備えるライトが点灯すると共にカメラにて撮影を行い、撮影した映像データを予め定められた所定の電話機に送信する、防犯機能付き携帯電話機とそのプログラムを提供することにある。
【課題を解決するための手段】
【０００８】
本発明の防犯機能付き携帯電話機は、プログラム制御によって制御動作を行う制御部と、
前記制御部に接続され光の入射を感知すると光感知信号を前記制御部へ出力する光センサと、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、を備える携帯電話機であって、
前記光センサに光が入射して光感知信号を出力したときに前記制御部が、前記ライトを点灯させ前記カメラに撮影を開始させ前記カメラで撮影した映像データを前記記憶部に記憶されている前記電話番号の電話機に前記送受信部を介して送信させる、ことを特徴とする。
【０００９】
また、前記防犯機能付き携帯電話機は更に、前記制御部に接続され前記制御部からの駆動信号によりアラーム音を発生するスピーカを備え、前記光センサに光が入射して光感知信号を出力したときに前記制御部が、更に、前記スピーカにアラーム音を鳴動させる、ことを特徴とする。
【００１０】
さらに、前記防犯機能付き携帯電話機は更に、前記制御部に接続され防犯機能の動作時間帯の設定を行うタイマを備え、前記光センサに光が入射して光感知信号を出力したときに前記制御部が、現在時刻が前記動作時間帯の内にあるかを判定し、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる、ことを特徴とする。
【００１１】
また、プログラム制御によって制御動作を行う制御部と、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、
前記制御部に接続され一定時間間隔でタイムアウトする時間間隔の設定を行う第２のタイマと、を備える携帯電話機であって、
前記第２のタイマのタイムアウト毎に前記制御部が、前記ライトを点灯させ前記カメラに撮影を開始させ前記カメラで撮影した映像データを前記記憶部に記憶されている前記電話番号の電話機に前記送受信部を介して送信させる、ことを特徴とする。
【００１２】
さらに、前記防犯機能付き携帯電話機は更に、前記制御部に接続され防犯機能の動作時間帯の設定を行うタイマを備え、前記第２のタイマのタイムアウト毎に前記制御部が、現在時刻が前記動作時間帯の内にあるかを判定し、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる、ことを特徴とする。
【００１３】
また、プログラム制御によって制御動作を行う制御部と、
前記制御部に接続され人の動きを検知すると動態感知信号を前記制御部へ出力する動態センサと、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、を備える携帯電話機であって、
前記動態センサが人の動きを検知して動態感知信号を出力したときに前記制御部が、前記ライトを点灯させ前記カメラに撮影を開始させ前記カメラで撮影した映像データを前記記憶部に記憶されている前記電話番号の電話機に前記送受信部を介して送信させる、ことを特徴とする。
【００１４】
さらに、前記防犯機能付き携帯電話機は更に、前記制御部に接続され前記制御部からの駆動信号によりアラーム音を発生するスピーカを備え、前記動態センサが人の動きを検知して動態感知信号を出力したときに前記制御部が、更に、前記スピーカにアラーム音を鳴動させる、ことを特徴とする。
【００１５】
また、前記防犯機能付き携帯電話機は更に、前記制御部に接続され防犯機能の動作時間帯の設定を行うタイマを備え、前記動態センサが人の動きを検知して動態感知信号を出力したときに前記制御部が、現在時刻が前記動作時間帯の内にあるかを判定し、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる、ことを特徴とする。
【００１６】
本発明のプログラムは、プログラム制御によって制御動作を行う制御部と、
前記制御部に接続され光の入射を感知すると光感知信号を前記制御部へ出力する光センサと、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、を備える携帯電話機のコンピュータに、
前記光センサに光が入射して光感知信号を出力したときに、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とする。
【００１７】
また、前記携帯電話機は更に、前記制御部に接続され前記制御部からの駆動信号によりアラーム音を発生するスピーカを備え、前記プログラムは、前記光センサに光が入射して光感知信号を出力したときに、更に、前記スピーカにアラーム音を鳴動させる処理を実行させる、ことを特徴とする。
【００１８】
さらに、前記携帯電話機は更に、前記制御部に接続され防犯機能の動作時間帯の設定を行うタイマを備え、前記プログラムは、前記光センサに光が入射して光感知信号を出力したときに、現在時刻が前記動作時間帯の内にあるかを判定する処理を実行させ、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とする。
【００１９】
また、プログラム制御によって制御動作を行う制御部と、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、
前記制御部に接続され一定時間間隔でタイムアウトする時間間隔の設定を行う第２のタイマと、を備える携帯電話機のコンピュータに、
前記第２のタイマのタイムアウト毎に、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とする。
【００２０】
さらに、前記携帯電話機は更に、前記制御部に接続され防犯機能の動作時間帯の設定を行うタイマを備え、前記プログラムは、前記第２のタイマのタイムアウト毎に、現在時刻が前記動作時間帯の内にあるかを判定する処理を実行させ、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とする。
【００２１】
また、プログラム制御によって制御動作を行う制御部と、
前記制御部に接続され人の動きを検知すると動態感知信号を前記制御部へ出力する動態センサと、
前記制御部に接続され前記制御部からの駆動信号により映像の撮影を行うカメラと、
前記制御部に接続され前記制御部からの駆動信号により点灯するライトと、
前記制御部に接続され前記制御部から出力される映像データの変調・増幅を行いアンテナを介して携帯電話網へ送信する送受信部と、
前記制御部に接続され前記カメラで撮影した映像データの送信先の電話番号を記憶する記憶部と、を備える携帯電話機のコンピュータに、
前記動態センサが人の動きを検知して動態感知信号を出力したときに、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とする。
【００２２】
さらに、前記携帯電話機は更に、前記制御部に接続され前記制御部からの駆動信号によりアラーム音を発生するスピーカを備え、前記プログラムは、前記動態センサが人の動きを検知して動態感知信号を出力したときに、更に、前記スピーカにアラーム音を鳴動させる処理を実行させる、ことを特徴とする。
【００２３】
また、前記携帯電話機は更に、前記制御部に接続され防犯機能の動作時間帯の設定を行うタイマを備え、前記プログラムは、前記動態センサが人の動きを検知して動態感知信号を出力したときに、現在時刻が前記動作時間帯の内にあるかを判定する処理を実行させ、現在時刻が前記動作時間帯の内にある場合に限り、前記ライトを点灯させ前記カメラに撮影を開始させ前記カメラで撮影した映像データを前記記憶部に記憶されている前記電話番号の電話機に前記送受信部を介して送信させる処理を実行させる、ことを特徴とする。
【発明の効果】
【００２４】
本発明の防犯機能付き携帯電話機とそのプログラムは、防犯機能付き携帯電話機を自動車内或いは家屋内などに設置し、防犯機能付き携帯電話機に内蔵された光センサに光が入射すると、防犯機能付き携帯電話機の備える撮影用のライトが点灯し、カメラは撮影を開始し、カメラで撮影した映像データを予め設定されている所定の電話機に送信することができるので、利用者や警備会社などに異常事態の発生を通知することが可能となり、防犯に役立つという効果を有している。
【００２５】
また、本発明の防犯機能付き携帯電話機を自動車内或いは家屋内などに設置するだけで、他の防犯設備を設置する必要が無いため、手軽に設置をすることが可能となり、手間とコストを低減できる、という効果を有している。
【００２６】
さらに、本発明において、定期的にタイムアウトするタイマを設定することにより、カメラで撮影した映像データを予め設定されている所定の電話機に定期的に送信することが出来るようになり、利用者や警備会社などは防犯機能付き携帯電話機を設置した場所の様子を定期的に知ることができる、という効果を奏することができる。
【００２７】
またさらに、光センサに代えて動態センサを防犯機能付き携帯電話機に内蔵させることにより、侵入者などを動態センサが感知すると、防犯機能付き携帯電話機の備える撮影用のライトが点灯し、カメラは撮影を開始し、カメラで撮影した映像データを予め設定されている所定の電話機に送信することができるようになり、利用者や警備会社などに異常事態の発生を通知することが可能となり、防犯に役立つという効果を奏することができる。
【発明を実施するための最良の形態】
【００２８】
次に、本発明の実施の形態について図面を参照して説明する。
【００２９】
図１は、本発明の防犯機能付き携帯電話機の一実施形態を示すブロック図である。
【００３０】
図１に示す本実施の形態において、防犯機能付き携帯電話機１０は、映像撮影用のカメラ１１と、撮影用のライト１２と、音を出力するスピーカ１３と、光の入射を感知すると光感知信号を出力する光センサ１４と、光センサ１４から光感知信号を入力すると、カメラ１１、ライト１２、スピーカ１３に対して駆動信号を送出する制御部１５と、カメラ１１で撮影した映像データを、制御部１５を介して入力し、変調、増幅を行ってアンテナ１７へ送信する送受信部１６と、制御部１５に接続され時間の計測を行うタイマ１８と、制御部１５に接続されカメラ１１で撮影した映像データの送信先の電話番号（複数可）を記憶する記憶部１９と、から構成されている。
【００３１】
そして、防犯機能付き携帯電話機１０の送受信部１６からアンテナ１７を介して送信される映像データを、無線回線により携帯電話通信網へ中継する基地局３０と、携帯電話通信網を介して中継される映像データを受信し表示部等に表示する携帯電話機４０と、が備えられている。
【００３２】
防犯機能付き携帯電話機１０の制御部１５は、ＣＰＵ（Ｃｅｎｔｒａｌ  Ｐｒｏｃｅｓｓｉｎｇ  Ｕｎｉｔ：中央処理装置）を備えており、記憶部１９に記憶されている動作プログラムによって制御動作を行うようになっている。
【００３３】
携帯電話機４０は、防犯機能付き携帯電話機１０の記憶部１９に記憶されている送信先の電話番号に該当する電話機であり、防犯機能付き携帯電話機１０の利用者が所有する、及び／或いは、警備会社などが所有する電話機である。
【００３４】
次に、図２を参照して、本実施形態の動作について説明する。
【００３５】
図２は、本実施形態の動作を説明するフローチャートである。
【００３６】
先ず、防犯機能付き携帯電話機１０の利用者は、映像データの送信先の電話番号（例えば、利用者の携帯電話機４０の電話番号、及び／或いは、警備会社の携帯電話機４０の電話番号など）を記憶部１９に設定すると共に、防犯機能の動作時間帯（例えば、午後８時から翌朝５時まで）をタイマ１８に設定する。そして、防犯機能付き携帯電話機１０を自動車内或いは家屋内などの要所に設置する。この時、防犯機能付き携帯電話機１０の周囲には光が無い状態（暗闇など）であるものとする。
【００３７】
図２において、防犯機能付き携帯電話機１０は待ち受け状態にあり（図２のステップＳ１）、次に、防犯機能付き携帯電話機１０の周囲の電灯が点灯するなどにより、有光の状態になると（ステップＳ２）、防犯機能付き携帯電話機１０に内蔵されている光センサ１４に光が入射して、光センサ１４は光感知信号を制御部１５に送出する（ステップＳ３）。
【００３８】
光感知信号を受けた制御部１５は、現在時刻がタイマ１８に設定してある動作時間帯の時間内であるかを判定し（ステップＳ４）、時間外である場合には（ステップＳ４で時間外）、何の制御動作も行わず、防犯機能付き携帯電話機１０を待ち受け状態のままにしておく（ステップＳ５）。
【００３９】
時間内である場合には（ステップＳ４で時間内）、制御部１５は、ライト１２、カメラ１１、スピーカ１３それぞれに駆動信号を送出する（ステップＳ６）。制御部１５からの駆動信号を受けたライト１２は点灯し、カメラ１１は撮影を開始し、スピーカ１３はアラーム音を鳴動させる（ステップＳ７）。そして、カメラ１１で撮影された映像データを、制御部１５で信号処理を行って送受信部１６に送出し、送受信部１６で変調、増幅を行い、アンテナ１７より送信する（ステップＳ８）。ステップＳ８における映像データの送信先は、記憶部１９に予め記憶されている電話番号（複数可）に対してである。
【００４０】
防犯機能付き携帯電話機１０から送信された映像データは、基地局３０を介して、利用者の（及び／或いは、警備会社の）携帯電話機４０で受信され、携帯電話機４０の表示部等に表示される（ステップＳ９）。
【００４１】
次に、本実施形態の防犯機能付き携帯電話機１０を、自動車内に設置する場合の具体例について、図３、図４を参照して説明する。
【００４２】
図３は、本実施形態の防犯機能付き携帯電話機を自動車内に設置する場合の具体例を示すブロック図である。なお、図３において図１に示す構成要素に対応するものは同一の参照数字または符号を付し、その説明を省略するものとする。
【００４３】
図３において、防犯機能付き携帯電話機１０は自動車２０内に設置されており、自動車２０は、自動車２０のドアの開閉を検出するドア開閉検出手段２１と、ドア開閉検出手段２１によってドアが開かれたことが検出された場合に点灯する車内灯２２と、を備えている。防犯機能付き携帯電話機１０の構成は、図１に示した構成と同一であるため、これ以上の説明は省略する。
【００４４】
次に、図４を参照して、図３に示した具体例の動作について説明する。
【００４５】
図４は、図３に示した具体例の動作を説明するフローチャートである。
【００４６】
先ず、防犯機能付き携帯電話機１０の利用者は、映像データの送信先の電話番号を記憶部１９に設定すると共に、防犯機能の動作時間帯（例えば、午後８時から翌朝５時まで）をタイマ１８に設定する。そして、防犯機能付き携帯電話機１０を夜間の自動車内に設置する。ここで防犯機能の動作時間帯において、侵入者などの無い通常の状態であれば、防犯機能付き携帯電話機１０の周囲には光が無い状態（暗闇など）である。
【００４７】
図４において、防犯機能付き携帯電話機１０は待ち受け状態にあり（図４のステップＳ１）、ここで、侵入者等により自動車２０のドアが開けられると、ドア開閉検出手段２１が作動し、車内灯２２が点灯する（ステップＳ２−１）。車内灯２２の点灯により、防犯機能付き携帯電話機１０に内蔵されている光センサ１４に光が入射して、光センサ１４は光感知信号を制御部１５に送出する（ステップＳ３）。
【００４８】
光感知信号を受けた制御部１５は、現在時刻がタイマ１８に設定してある動作時間帯の時間内であるかを判定し（ステップＳ４）、時間外である場合には（ステップＳ４で時間外）、何の制御動作も行わず、防犯機能付き携帯電話機１０を待ち受け状態のままにしておく（ステップＳ５）。
【００４９】
時間内である場合には（ステップＳ４で時間内）、図２に示したステップＳ６〜ステップＳ９と同一の動作を行い、防犯機能付き携帯電話機１０から送信された映像データが、利用者などの携帯電話機４０で受信され表示されるようになる。
【００５０】
次に、本実施形態の防犯機能付き携帯電話機１０を、昼間の自動車内に設置する場合の具体例について、図５を参照して説明する。
【００５１】
図５は、本実施形態の防犯機能付き携帯電話機を昼間の自動車内に設置する場合の具体例を示すブロック図である。なお、図５において図１に示す構成要素に対応するものは同一の参照数字または符号を付し、その説明を省略するものとする。
【００５２】
図５において、防犯機能付き携帯電話機１０は昼間の自動車２０内に設置されており、自動車２０は、自動車２０のドアの開閉を検出するドア開閉検出手段２１と、ドア開閉検出手段２１によってドアが開かれたことが検出された場合に点灯する車内灯２２と、ドア開閉検出手段２１によってドアが開かれたことが検出された場合に点灯するライト２３と、を備えている。そして、ライト２３は、防犯機能付き携帯電話機１０の光センサ１４の入射部に装着されている。このため、光センサ１４には外部光は入射せず、ライト２３が点灯した場合にのみ光センサ１４は光感知信号を送出するようになっている。
【００５３】
次に、図５に示した具体例の動作について説明する。
【００５４】
図５に示した具体例は、図２で示したステップＳ２の動作において、侵入者等により自動車２０のドアが開けられた際に、ドア開閉検出手段２１が作動し、車内灯２２が点灯すると共にライト２３も同時に点灯する点においてのみ、図２で示した動作と異なっているものである。そして、ライト２３の点灯により、防犯機能付き携帯電話機１０に内蔵されている光センサ１４に光が入射して、光センサ１４は光感知信号を制御部１５に送出するものである。その他の動作は、図２で示したものと同一である。
【００５５】
すなわち、図５に示した具体例においては、昼間であっても自動車２０のライト２３が点灯すれば、防犯機能付き携帯電話機１０が作動するようになり、防犯機能付き携帯電話機１０からの映像データが利用者などの携帯電話機４０に送信されるようになる。
【００５６】
次に、本実施形態の防犯機能付き携帯電話機１０を、家屋内に設置する場合の具体例について、図６を参照して説明する。
【００５７】
図６は、本実施形態の防犯機能付き携帯電話機を家屋内に設置する場合の具体例を示すブロック図である。なお、図６において図１に示す構成要素に対応するものは同一の参照数字または符号を付し、その説明を省略するものとする。
【００５８】
図６において、防犯機能付き携帯電話機１０は家屋５０内に設置されており、家屋５０内には、人体検知センサを備え人の動きに応じて検知エリアを照明するライトを点灯させるセンサライト５１が設置されている。防犯機能付き携帯電話機１０の構成は、図１に示した構成と同一であるため、これ以上の説明は省略する。
【００５９】
次に、図６に示した具体例の動作について説明する。
【００６０】
図６に示した具体例は、図２で示したステップＳ２の動作において、家屋５０内の侵入者等によりセンサライト５１が点灯する点においてのみ、図２で示した動作と異なっているものである。そして、センサライト５１の点灯により、防犯機能付き携帯電話機１０に内蔵されている光センサ１４に光が入射して、光センサ１４は光感知信号を制御部１５に送出するものである。その他の動作は、図２で示したものと同一である。
【００６１】
すなわち、図６に示した具体例においては、家屋５０内のセンサライト５１が点灯すれば、防犯機能付き携帯電話機１０が作動するようになり、防犯機能付き携帯電話機１０からの映像データが利用者などの携帯電話機４０に送信されるようになる。
【００６２】
以上説明したように、本実施形態によれば、防犯機能付き携帯電話機１０を自動車内或いは家屋内などに設置し、防犯機能付き携帯電話機１０に内蔵された光センサ１４に光が入射すると、防犯機能付き携帯電話機１０の備える撮影用のライト１２が点灯し、カメラ１１は撮影を開始し、スピーカ１３はアラーム音を鳴動させ、カメラ１１で撮影した映像データを予め設定されている所定の電話機に送信することができるので、利用者や警備会社などに異常事態の発生を通知することが可能となり、防犯に役立つという効果を有している。
【００６３】
また、本発明の防犯機能付き携帯電話機１０を自動車内或いは家屋内などに設置するだけで、他の防犯設備を設置する必要が無いため、手軽に設置をすることが可能となり、手間とコストを低減できる、という効果を有している。
【００６４】
次に、本発明の防犯機能付き携帯電話機の第２の実施形態について、図７を参照して説明する。
【００６５】
本発明の第２の実施形態は、その構成においては図１に示した第１の実施形態と同一であるが、防犯機能付き携帯電話機１０の備えるタイマ１８の機能が、防犯機能の動作時間帯を設定するだけでなく、定期的なタイムアウト信号を制御部１５に送出するようになっている点でのみ、第１の実施形態と異なるものである。そして、第２の実施形態の動作においては、タイマ１８の定期的なタイムアウト信号により、制御部１５がライト１２、カメラ１１それぞれに対して、駆動信号を送出するようになっている。
【００６６】
本発明の第２の実施形態の動作について、図７を参照して説明する。
【００６７】
図７は、第２の実施形態の動作を説明するフローチャートである。
【００６８】
先ず、防犯機能付き携帯電話機１０の利用者は、映像データの送信先の電話番号（例えば、利用者の携帯電話機４０の電話番号、及び／或いは、警備会社の携帯電話機４０の電話番号など）を記憶部１９に設定する。また、防犯機能の動作時間帯（例えば、午後８時から翌朝５時まで）をタイマ１８に設定すると共に、定期的なタイムアウト時間（例えば、３０分ごとなど）をタイマ１８に設定する。そして、防犯機能付き携帯電話機１０を自動車内或いは家屋内などの要所に設置する。
【００６９】
図７において、防犯機能付き携帯電話機１０は待ち受け状態にあり（図７のステップＳ１１）、ここで、防犯機能付き携帯電話機１０の制御部１５は、現在時刻がタイマ１８に設定してある動作時間帯の時間内であるかを判定する（ステップＳ１２）。時間外である場合には（ステップＳ１２で時間外）、何の制御動作も行わず、防犯機能付き携帯電話機１０を待ち受け状態のままにしておく（ステップＳ１３）。
【００７０】
時間内である場合には（ステップＳ１２で時間内）、制御部１５は、タイマ１８に予め設定してある時間毎（例えば、３０分毎）にタイマ１８からタイムアウト信号を受けるので、その時間毎にライト１２、カメラ１１それぞれに駆動信号を送出する（ステップＳ１４）。制御部１５からの駆動信号を受けたライト１２は点灯し、カメラ１１は撮影を開始する（ステップＳ１５）。そして、カメラ１１で撮影された映像データを、制御部１５で信号処理を行って送受信部１６に送出し、送受信部１６で変調、増幅を行い、アンテナ１７より送信する（ステップＳ１６）。ステップＳ１６における映像データの送信先は、記憶部１９に予め記憶されている電話番号（複数可）に対してである。
【００７１】
防犯機能付き携帯電話機１０から送信された映像データは、基地局３０を介して、利用者の（及び／或いは、警備会社の）携帯電話機４０で受信され、携帯電話機４０の表示部等に表示される（ステップＳ１７）。
【００７２】
以上説明したように、本発明の第２の実施形態によれば、防犯機能付き携帯電話機１０に、定期的にタイムアウトするタイマ１８を設定することにより、カメラ１１で撮影した映像データを予め設定されている所定の電話機に定期的に送信することが出来るようになり、利用者や警備会社などは防犯機能付き携帯電話機１０を設置した場所の様子を定期的に知ることができる、という効果を奏することができる。
【００７３】
次に、本発明の防犯機能付き携帯電話機の第３の実施形態について、図８、図９を参照して説明する。
【００７４】
図８は、本発明の防犯機能付き携帯電話機の第３の実施形態を示すブロック図である。
【００７５】
図８に示す第３の実施形態において、防犯機能付き携帯電話機１０は、図１に示した第１の実施形態における光センサ１４に代えて、人の動きを検知すると動態感知信号を出力する動態センサ１４−１を備える点でのみ、第１の実施形態と異なるものである。従って、図８において図１に示す構成要素に対応するものは同一の参照数字または符号を付し、その説明を省略するものとする。
【００７６】
なお、防犯機能付き携帯電話機１０は自動車内或いは家屋内などの要所に設置されるものであり、通常時はその周辺に人はいない状態であるが、図８の状態は、その周辺に侵入者６０が侵入した場合の例を図示したものである。
【００７７】
次に、図９を参照して、図８に示した第３の実施形態の動作について説明する。
【００７８】
図９は、図８に示した第３の実施形態の動作を説明するフローチャートである。
【００７９】
先ず、防犯機能付き携帯電話機１０の利用者は、映像データの送信先の電話番号（例えば、利用者の携帯電話機４０の電話番号、及び／或いは、警備会社の携帯電話機４０の電話番号など）を記憶部１９に設定すると共に、防犯機能の動作時間帯（例えば、午後８時から翌朝５時まで）をタイマ１８に設定する。そして、防犯機能付き携帯電話機１０を自動車内或いは家屋内などの要所に設置する。この時、防犯機能付き携帯電話機１０の周辺に人はいない状態であるものとする。
【００８０】
図９において、防犯機能付き携帯電話機１０は待ち受け状態にあり（図９のステップＳ２１）、次に、防犯機能付き携帯電話機１０の周辺に侵入者６０が侵入したものとする（ステップＳ２２）。すると、防犯機能付き携帯電話機１０に内蔵されている動態センサ１４−１が侵入者６０の動きを検知し、動態センサ１４−１は動態感知信号を制御部１５に送出する（ステップＳ２３）。
【００８１】
動態感知信号を受けた制御部１５は、現在時刻がタイマ１８に設定してある動作時間帯の時間内であるかを判定し（ステップＳ２４）、時間外である場合には（ステップＳ２４で時間外）、何の制御動作も行わず、防犯機能付き携帯電話機１０を待ち受け状態のままにしておく（ステップＳ２５）。
【００８２】
時間内である場合には（ステップＳ２４で時間内）、制御部１５は、ライト１２、カメラ１１、スピーカ１３それぞれに駆動信号を送出する（ステップＳ２６）。制御部１５からの駆動信号を受けたライト１２は点灯し、カメラ１１は撮影を開始し、スピーカ１３はアラーム音を鳴動させる（ステップＳ２７）。そして、カメラ１１で撮影された映像データを、制御部１５で信号処理を行って送受信部１６に送出し、送受信部１６で変調、増幅を行い、アンテナ１７より送信する（ステップＳ２８）。ステップＳ２８における映像データの送信先は、記憶部１９に予め記憶されている電話番号（複数可）に対してである。
【００８３】
防犯機能付き携帯電話機１０から送信された映像データは、基地局３０を介して、利用者の（及び／或いは、警備会社の）携帯電話機４０で受信され、携帯電話機４０の表示部等に表示される（ステップＳ２９）。
【００８４】
以上説明したように、本発明の第３の実施形態によれば、光センサ１４に代えて動態センサ１４−１を防犯機能付き携帯電話機１０に内蔵させることにより、侵入者６０などを動態センサ１４−１が感知すると、防犯機能付き携帯電話機１０の備える撮影用のライト１２が点灯し、カメラ１１は撮影を開始し、スピーカ１３はアラーム音を鳴動させ、カメラ１１で撮影した映像データを予め設定されている所定の電話機に送信することができるようになり、利用者や警備会社などに異常事態の発生を通知することが可能となり、防犯に役立つという効果を奏することができる。
【図面の簡単な説明】
【００８５】
【図１】本発明の防犯機能付き携帯電話機の一実施形態を示すブロック図である。
【図２】図１の実施形態の動作を説明するフローチャートである。
【図３】本実施形態の防犯機能付き携帯電話機を自動車内に設置する場合の具体例を示すブロック図である。
【図４】図３に示した具体例の動作を説明するフローチャートである。
【図５】本実施形態の防犯機能付き携帯電話機を昼間の自動車内に設置する場合の具体例を示すブロック図である。
【図６】本実施形態の防犯機能付き携帯電話機を家屋内に設置する場合の具体例を示すブロック図である。
【図７】第２の実施形態の動作を説明するフローチャートである。
【図８】本発明の防犯機能付き携帯電話機の第３の実施形態を示すブロック図である。
【図９】図８に示した第３の実施形態の動作を説明するフローチャートである。
【符号の説明】
【００８６】
１０    防犯機能付き携帯電話機
１１    カメラ
１２    ライト
１３    スピーカ
１４    光センサ
１４−１    動態センサ
１５    制御部
１６    送受信部
１７    アンテナ
１８    タイマ
１９    記憶部
２０    自動車
２１    ドア開閉検出手段
２２    車内灯
２３    ライト
３０    基地局
４０    携帯電話機
５０    家屋
５１    センサライト
６０    侵入者
【図１】
2005184371.tif 000003
【図２】
2005184371.tif 000004
【図３】
2005184371.tif 000005
【図４】
2005184371.tif 000006
【図５】
2005184371.tif 000007
【図６】
2005184371.tif 000008
【図７】
2005184371.tif 000009
【図８】
2005184371.tif 000010
【図９】
2005184371.tif 000011